(57)【特許請求の範囲】
【請求項１】
壁面に固定されたガイドレールと、該ガイドレールのガイド溝に沿ってスライド可能に支持されたハンガー本体とからなるスライド式シャワーハンガーであって、ガイドレールの端部にハンガー本体の移動軌道上に突出しない形態の取付基部を該ガイドレールとともにビスによって壁面に固定し、該取付基部に前記移動軌道およびビスを覆い得るエンドキャップを設けてなることを特徴としたスライド式シャワーハンガー。
【請求項２】
ガイドレールの背面に形成された空隙に取付基部の突出部を挿入して該取付基部にビスを貫挿することによりガイドレールとともに該取付基部を壁面に固定した請求項１に記載のスライド式シャワーハンガー。
【請求項３】
エンドキャップにガイドレールのガイド溝と係合する突起を設けたことを特徴とする請求項１または２に記載のスライド式シャワーハンガー。
【発明の詳細な説明】
【０００１】
【発明の属する技術分野】
本発明は、シャワーを壁面に固定されたガイドレールに沿って所望位置に移動し得るスライド式シャワーハンガーに関するもので、さらに詳しくはそのガイドレールの壁面の取付部の構造に関するものである。
【０００２】
【従来の技術】
浴室，シャワールーム等の壁面に固定した丸棒状のガイドバーに沿ってシャワーを移動できるようにしたスライド式シャワーハンガーは、実開昭６０−９１６５６号公報等により知られている。同公報に示されたスライド式シャワーハンガーは、ガイドバーの両端部にエンド部材が嵌着され、該エンド部材をビスにより壁面に固定したものであった。該エンド部材はハンガー本体が両端部に移動したときにガイドバーからの脱落を防ぐストッパとしての役割も兼ねている。
【０００３】
ところで、ハンガー本体は、締付ハンドルを螺合することによりガイドバーに圧着する部品等が摩耗，変形等して当初の機能および操作性を維持できなくなる場合があり、そのような場合は部品の交換等の修理のために該ハンガー本体をガイドバーから外す必要が生じる。しかし従来の構造では壁面よりビスを外してエンド部材を取り外さねばならないために作業が面倒であると共に、ビスを再度締め直すためにタイル等の壁面が破損したり固定強度が低下する等の問題があった。
【０００４】
【発明が解決しようとする課題】
そこで本発明は、上記問題点を解消し、ハンガー本体の取付け，取外しが容易に行い得るスライド式シャワーハンガーを提供しようとするものである。
【０００５】
【課題を解決するための手段】
そのために本発明のスライド式シャワーハンガーは、壁面に固定されたガイドレールと、該ガイドレールのガイド溝に沿ってスライド可能に支持されたハンガー本体とからなるスライド式シャワーハンガーであって、ガイドレールの端部にハンガー本体の移動軌道上に突出しない形態の取付基部を該ガイドレールとともにビスによって壁面に固定し、該取付基部に前記移動軌道およびビスを覆い得るエンドキャップを設けてなることを特徴とする。
また、本発明は上記スライド式シャワーハンガーにおいて、ガイドレールの背面に形成された空隙に取付基部の突出部を挿入して該取付基部にビスを貫挿することによりガイドレールとともに該取付基部を壁面に固定したことを特徴とする。
さらに本発明は上記スライド式シャワーハンガーにおいて、エンドキャップにガイドレールのガイド溝と係合する突起を設けたことを特徴とする。
【０００６】
【発明の実施の形態】
次に本発明の実施の形態を図面と共に説明する。図１にこのスライド式シャワーハンガーの外観斜視図、図２にその縦断面図を示す。図３，図４に示したようにガイドレール１は両外側面にガイド溝２，２が形成され背面に空隙３が形成されたアルミニウムの押出成形品からなる等断面形状のもので、両端部には該空隙３に貫通するビス孔４が開設されている。
【０００７】
４０は該ガイドレール１と同幅で、後述するハンガー本体６の移動軌道上に突出しない、即ち、ガイド溝２，２の延長線上に突出しない板状形態の取付基部で、該取付基部４０に一体に形成された突出部４１に貫通孔４２が形成され、該突出部４１をガイドレール１の端部より空隙３に挿入し、ビス４３をビス孔４より貫通孔４２を貫通させることにより該取付基部４０をガイドレール１とともに壁面４４に固定する。取付基部４０の表面にはアリ溝状の嵌合溝４５が形成された弾性挟着片４６が一体に形成されている。また４７は取付基部４０の端面に延設された舌片で該舌片４７の先端部には段部４８が形成されている。
【０００８】
５０はガイドレール１の端部上に被せたとき前記移動軌道およびビス４３を覆い得るような形態に形成されたエンドキャップで、該エンドキャップ５０の内側面には図５にも示したようにガイド溝２，２と係合し得る一対の突起５１が一体に形成されていると共に、前記嵌合溝４５に嵌着し得る嵌着片５２が一体に形成されている。また、エンドキャップ５０の端部縁には前記舌片４７の段部４８が合着し得る凸字状の切欠５３が形成されている。
【０００９】
６は筒状のハンガー本体で、該ハンガー本体６には背面にガイドレール１の一方のガイド溝２に遊嵌する脚部７が一体に形成されている。８は中空軸状部品で、該中空軸状部品８は一端部外周に螺子溝が形成された螺子軸部９と、その隣の平軸部１０と、スプライン溝が形成された噛合軸部１１と、外周にＯリング１２を保持し得る大径部１３が形成されてなる。そして該Ｏリング１２がハンガー本体６の内周面に摺接するように該中空軸状部品８をハンガー本体６内に挿入する。１４はシャワーヘッド掛止用のフックで、該フック１４の基部１５に形成された透孔１６内周にスプライン溝が形成され該透孔１６が噛合部１１に嵌着されている。そしてハンガー本体６の前面に開設された上下に長い長孔１７より該フック１４が前面に突出している。なお、ハンガー本体６の内面に形成された段部２６に該基部１５が当接することにより該中空軸状部品８は図２中右方向に移動できないようにしている。
【００１０】
１８は円筒状の基部１９を中空軸状部品８の平軸部１０に軸方向に進退動可能に遊嵌すると共に、ハンガー本体６の背面に開設された切欠２０より脚部２１を突出させガイドレール１のもう一方のガイド溝２に該脚部２１を遊嵌させた押圧片である。また、２２は雌螺子筒部２３を螺子軸部９に螺合しハンガー本体６の一般開口より突出さしている締付ハンドルで、該雌螺子筒部２３の先端は前記押圧片１８の基部１９に当接し得る。２５はハンガー本体６の他端開口に嵌着されたキャップである。２６はフック１４に掛止られたシャワーヘッドである。
【００１１】
しかしてこのシャワーハンガーでは、締付ハンドル２２を緩めているとき、脚部７，２１がガイドレール１のガイド溝２，２に沿って摺動し得るので、ハンガー本体６を該ガイドレール１に沿って上下にスライドできる。そのときエンドキャップ５０はハンガー本体６がガイドレール１の上下端において脱落しないようにするストッパとして機能する。そして締付ハンドル２２を締付けることにより雌螺子筒部２３の先端により押圧片１８の基部１９が押圧され該押圧片１８の脚部２１が他方の脚部７とともにガイドレール１に圧着するので、該ハンガー本体６をガイドレール１の任意の位置でスライド不能に固定できると同時に、雌螺子筒部２３が基部１９を押圧しその摩擦抵抗により中空軸状部品８が回転できなくなることでフック１４を傾動不能に固定できる。
【００１２】
エンドキャップ５０は切欠５３のビス４３上にマイナスドライバーを差し込んでこじることにより嵌着片５２が嵌合溝４５から外れてガイドレール１から簡単に離脱させることができる。このためガイド溝２，２端は開放されエンドキャップ５０はストッパとしての機能がなくなるので、脚部７，２１をガイド溝２，２より離脱させ、ハンガー本体６をガイドレール１より取外すことができる。なお、エンドキャップ５０はこのような着脱自在なストッパとしての機能を有するほか、常態ではビス４３を覆い隠すことで外観を良くする機能も備える。
【００１３】
【発明の効果】
このように本発明のスライド式シャワーハンガーは、エンドキャップを係脱させることによりハンガー本体をガイドレールから容易に取り外すことができるようになり、ハンガー本体のメンテナンスを容易ならしめる効果がある。また、該エンドキャップの取付基部はガイドレールとともにビス止めされているので確実に取付できるなどの利点がある。
【図面の簡単な説明】
【図１】本発明に係るスライド式シャワーハンガーの外観斜視図。
【図２】図１のハンガー本体の縦断面図。
【図３】ガイドレールのエンドキャップを展開したときの斜視図。
【図４】ガイドレールの分解斜視図。
【図５】エンドキャップの裏面の斜視図。
【符号の説明】
１        ガイドレール
２        ガイド溝
３        空隙
４        ビス孔
６        ハンガー本体
７        脚部
１４      フック
２１      脚部
２２      締付ハンドル
２６      シャワーヘッド
４０      取付基部
４１      突出部
４２      貫通孔
４３      ビス
４４      壁面
４５      嵌合溝
４６      弾性挟着片
４７      舌片
４８      段部
５０      エンドキャップ
５１      突起
５２      嵌着片
５３      切欠
【図１】
0003559629.tif 000002
【図２】
0003559629.tif 000003
【図３】
0003559629.tif 000004
【図５】
0003559629.tif 000005
【図４】
0003559629.tif 000006